(57)【要約】      （修正有）【課題】スピーカーから出る音のキャンセルアウトを防止すると供に、生品高さをおさえ、調理器特有の水分や埃からスピーカーを保護できる炊飯器を提供する。【解決手段】スピーカー５０を製品の内側に向けて設置し、音声放射用孔を専用でもうけるのではなく、本体３１の冷却用孔と音放射用孔を兼用し、冷却用孔から音を放出させ、更にスピーカー５０前面と背面の空間を隔離する構成とする。【選択図】図１
2006218152.tif 000002
【特許請求の範囲】
【請求項１】
鍋と、前記鍋を加熱する鍋加熱手段と、前記鍋と前記鍋加熱手段を収容する本体と、前記本体に設けられた孔と、前記本体内にその振動板前面を前記本体内側に向けて設けられたスピーカーとを備えた炊飯器。
【請求項２】
スピーカーの振動板後面を囲う遮蔽部を設けた請求項１記載の炊飯器。
【請求項３】
遮蔽部の一部が本体の底部の一部から構成される請求項２記載の炊飯器。
【請求項４】
孔はスピーカー設置位置よりボディの外周部に設けた請求項１〜３のいずれか１項に記載の炊飯器。
【請求項５】
複数の孔を有し、少なくとも２つの孔から放射される音が互いに干渉することによる音圧低下を防止するための音干渉防止壁を設けた請求項１〜４のいずれか１項に記載の炊飯器。
【請求項６】
ファンモータを搭載した請求項１〜５のいずれか１項に記載の炊飯器。
【発明の詳細な説明】
【技術分野】
【０００１】
本発明は、炊飯手順等の音声ガイドを行うためにスピーカーを搭載した炊飯器に関するものである。
【背景技術】
【０００２】
従来この種のスピーカーを搭載し、音声ガイドを行う調理器は、例えば、特許文献１のようなものである。
【０００３】
図７は特許文献１に記載された従来の調理器を示すものである。図７に示すように、高周波加熱器において、調理庫１の全面に扉２が開閉自在に設けられ、この扉２の右側前面に操作部３が形成されている。操作部３には表示管４、タイマ５、メニュー選択スイッチ６等が図示のように配設されている。調理庫１内には電気ヒータ７が調理庫１の壁を貫通して設けられている。調理庫右側の器具内部には各種制御部品が配設される空間部が設けられている。器具の底板８上にはスピーカー１０がその振動板側（音声放射方向）を下方に向けてとりつけられ、スピーカー１０の音声放射方向に対応する器具の底板８の部分には音声を通過しやすくなるパンチング穴が設けられている。スピーカー１０はネジにより底板８にビス止めされているのである。
【特許文献１】特開昭５８−１３９４４号公報
【発明の開示】
【発明が解決しようとする課題】
【０００４】
しかしながら、炊飯器に前記の従来の構成のスピーカーを取り付けようとした場合、以下のような課題を生じた。
【０００５】
まず、スピーカーの前面（音放射方向）と調理器の設置面との距離が近いため、振動板の振動を伝達する空気が振動する十分な空間が確保できないため、十分な音圧を得ることができなかった。
【０００６】
また、炊飯器には、そのボディの底部あるいは側底部に、水が浸入したときに排出できるように排出孔が設けられ、また、ＩＨを利用した調理器具などにおいては電磁誘導加熱をするための、基板部品冷却のための冷却孔が多く設置してあり、スピーカーの背面から出た音が前記の排出孔や冷却孔から製品（ボディ）の外に漏れ出てしまい、スピーカーの前面から出た音との干渉による、音のキャンセルアウトという現象が発生し、十分な音圧を得ることができなかった。
【０００７】
また、加えて、炊飯器は調理場での使用となる為、調理場特有の使用環境である、水分付着、高湿度、埃、油煙などが、製品の底部に直接取り付けたスピーカーに悪影響を与えてしまい、音声劣化の原因となっていた。
【０００８】
本発明は、前記従来の課題を解決するもので、ボディに冷却孔等を有した炊飯器に搭載しても、高品質の音声及び音圧を確保することができ、かつ、水分付着、高湿度、埃、油煙などによる音声劣化がないスピーカーを提供することを目的としている。
【課題を解決するための手段】
【０００９】
前記従来の課題を解決するために、本発明の炊飯器は、本体内部に設置したスピーカーを、振動板前面を本体内側に向けて設置したものである。
【００１０】
これによって、スピーカーの振動板前面を本体の内側に向けることにより、音の伝達方向が、本体内になるため、空気が振動する十分な空間を確保することができ十分な音圧が得られる。さらに、スピーカーの音声放射用の孔を設ける必要がなく、水の排出孔や冷却孔を利用することにより、冷却孔からのみ本体の外に音声が放射される為、スピーカー背面からの発生する音声が本体外部に放射されることがないので、本体外部でスピーカーの前面からの放射音とスピーカー背面からの発生する音声とが干渉することがなく、音圧低下することを防止することができる。また、製品外部からの水分、油、埃などの異物付着を防止することができる。
【発明の効果】
【００１１】
本発明の炊飯器は、高品質の音声及び十分な音圧が確保された音声ガイドを実現することができる。
【発明を実施するための最良の形態】
【００１２】
第１の発明は、鍋と、前記鍋を加熱する鍋加熱手段と、前記鍋と前記鍋加熱手段を収容する本体と、前記本体に設けられた孔と、前記本体内にその振動板前面を前記本体内側に向けて設けられたスピーカーとを備えたもので、音の伝達方向が、本体内になるため、空気が振動する十分な空間を確保することができ十分な音圧が得られる。また、スピーカー設置部の外観部品（本体ボディ）に音声放射用孔を設ける必要がなく水の排出孔や冷却孔を利用することにより、冷却孔からのみ本体の外に音声が放射される為、スピーカー背面からの発生する音声が本体外部に放射されることがないので、本体（ボディ）外部でのスピーカーの前面からの放射音とスピーカー背面からの発生する音声とが干渉することによる音圧低下することを防止することができる。さらには、炊飯器特有の設置条件である、水分、油、埃などの異物によるスピーカーの損傷等による音声品質低下を防止することができる。
【００１３】
第２の発明は、第１の発明において、スピーカーの振動板後面を囲う遮蔽部を設けたもので、スピーカー前面と背面の空間を隔離することで、本体内部のスピーカー前面から放射される音とスピーカー背面から放射される音とで生じる、音の干渉による音のキャンセルアウトを防止することで、音のキャンセルアウトによる音圧低下を防止することができるようになる。上記の音のキャンセルアウトについて以下に詳述する。スピーカーというものはスピーカーの振動板を振動することで音が発生する。この振動板の振動で発生する音はスピーカー前面からも、背面からも音が放出される、この両方から放出された音声は音の位相が同じであるため、スピーカーの前面からの音が背面からの音で打ち消し合ってしまう現象が発生する。これを音のキャンセルアウトと呼ぶが、このキャンセルアウトを防止するために、スピーカーの背面の空間を前面とは分離しているのである。
【００１４】
第３の発明は、第２の発明において、遮蔽部の一部が本体の底部の一部から構成されるもので、スピーカーの前面と背面の空間を本体の底部を利用し、隔離したことにより、スピーカー背面の隔離空間容積を拡大することができ、音声の、特に低音側の音の確保が可能になるのである。
【００１５】
第４の発明は、第１〜３のいずれか１つの発明において、冷却用、及び音放射用孔はスピーカー設置部より製品の外周部に設けたことにより、スピーカーからの音は製品の略全周から音を製品の外に放射することができ、音の指向性を低下することができる。
【００１６】
第５の発明は、第１〜４のいずれか１つの発明において、音の干渉による音圧低下を防止するための音干渉防止壁を設けたことにより、音の指向性を低下させるために製品の外周部に冷却用、及び音放射用孔を設けることで発生する、製品の左右、前後から放射される音の干渉による音圧低下を防止することができる。
【００１７】
第６の発明は、第１〜５のいずれか１つの発明において、ファンモータを搭載したことにより、スピーカーに付着した水分、埃などの異物さえも、ファンモータの風により、スピーカーから異物を除去することができる。
【００１８】
以下、本発明の実施の形態について、図面を参照しながら説明する。なお、この実施の形態によって本発明が限定されるものではない。
【００１９】
（実施の形態１）
図１及び２は、本発明の第１の実施の形態における炊飯器の断面図、要部断面図を示すものである。
【００２０】
図１において、ボディ（本体）３１は上面が開口する略円筒形をしており、炊飯器本体を形成している。このボディ３１の開口部には上枠３２が嵌着している。前記ボディ３１内部には上枠３２とコイルベース３３とで鍋３４収納部を形成している。コイルベース３３は有底円筒状に形成され、コイルベース３３上端部は上枠３２に固定されている。コイルベース３３には鍋３４を誘導加熱するための底内誘導コイル（鍋加熱手段）３５ａが設置されており、鍋３４を誘導加熱しているのである。また、鍋３４側面には鍋３４側底面を誘導加熱する為の底外誘導コイル（鍋加熱手段）３５ｂが設置されている。底内誘導コイル３５ａ及び底外誘導コイル３５ｂに高周波電流を通電し、鍋３４を誘導加熱する為の加熱基板３６はコイルベース３３とボディ３１内面で構成される空間に設置されており、この加熱基板３６には加熱基板３６上に設置している発熱部品（図示しない）を冷却する為の、ヒートシンク３７が加熱基板３６下方に設置されており、更にヒートシンク３７、加熱基板３６の発熱部品を冷却するためにファンモータ３８もヒートシンク３７下面に設置している。
【００２１】
また、鍋３４底面には鍋３４温度を検知する底センサー３９がセンサーバネ（図示しない）により付勢されており、炊飯及び、保温時の鍋３４温度を検知し、鍋３４内の調理物が最適な温度状態になるよう、制御手段が制御しているのである。
【００２２】
外蓋４１は合成樹脂製で、この外蓋４１は外蓋カバー４２に嵌着されており、この外蓋４１は外蓋カバー４２に設置されたヒンジ軸を上枠３２の後部に一体形成されたヒンジ部材３２ａにピンを介して回動自在に支持されている。
【００２３】
発熱板４３は、鍋パッキン４４付着脱式発熱板であり、外蓋４１下面を構成する外蓋カバー４２に取り付けられている。この発熱板４３には炊飯中の蒸気などを本体外部に放出する蒸気孔４３ａが設けられており、鍋３４内の空間と外部とを連通するように構成されているのである。また外蓋カバー４２には発熱板４３を誘導加熱するための蓋誘導加熱コイル４５が設置されている。また、この蓋誘導加熱コイル４５の上方にはアルミ製の蓋反射板４６が設置されており、蓋誘導加熱コイル４５から発生する輻射ノイズなどを防いでいる。
【００２４】
発熱板４３は電磁調理器の加熱原理と同様に蓋誘導加熱コイル４５に通電される電流の大きさと、蓋誘導加熱コイル４５の巻数等により発熱板４３の加熱量が決定される。ここで蓋誘導加熱コイル４５の巻数はインダクタンスの大きさに比例しており、コイル巻数を増やせば増やすほど、インダクタンスも大きくなる。また、発熱量はインダクタンスに比例する為、蓋誘導加熱コイル４５が設置されている部分の発熱量は多くなる。また、発熱板４３には蓋センサー４７がコイルバネ（図示しない）により発熱板４３に圧接されており、発熱板４３の温度を制御している。上記の底センサー３９及び、蓋センサー４７の温度信号により、鍋３４及び発熱板４３に通電する通電率を制御しているのが、操作基板４８に設置されているマイコン４９であり、このマイコン４９には、あらかじめ決められた制御プログラムが記憶されてり、炊飯及び保温を行う。
【００２５】
また、スピーカー５０は、遮蔽部であるスピーカー台５１に発泡樹脂の両面テープであるスピーカー固定テープ５２で固定し、固定されたスピーカー５０の振動板前面側が製品の床面方向とは逆方向にコイルベース３３にセットされており、このスピーカー５０が設置されたスピーカー台５１とコイルベース３３はボディ３１と共締めされて固定されている。
【００２６】
このことで、スピーカー５０の振動板前面側を床面方向に設置をしていないため、スピーカー５０設置部の底面のボディ３１には音声放射用の孔を設ける必要がなく、外郭部品であるボディ３１のどこかに、音声放射用孔を設ければ良い。
【００２７】
スピーカー台５１の形状を詳しく説明すると、スピーカー台５１はスピーカー５０がセットする為の凹部５１ａが設けられており、この凹部５１ａにスピーカー固定テープ５２として一定の弾力のある発泡両面テープを貼付け、このスピーカー固定テープ５２にスピーカー５０背面を張り付け固定する。またスピーカー台５１はスピーカー５０の背面をスピーカー５０の前面との空間を分離するために、スピーカー５０背面を覆うような形状をしている。また、このスピーカー５０背面のスピーカー台５１の空間は完全密閉ではなく、一定の切欠きを設けており、スピーカー５０からのリード線を通して、配線している。
【００２８】
この様にスピーカー台５１にセットしたスピーカー５０はコイルベース３３に仮固定し、ボディ３１とコイルベース３３を締め付ける際に供締めすることで、固定されるのである。また、コイルベース３３からはスピーカー５０に向かってスピーカー固定リブ３３ａが設けられており、ボディ３１とコイルベースを供締めすると、コイルベース３３のスピーカー固定リブ３３ａにより、スピーカー５０はスピーカー固定テープ５２の貼付け固定だけではなく、スピーカー台５１とスピーカー固定リブ３３ａにより挟まれる形で機械的固定も行われる。
【００２９】
前述で加熱基板３６とヒートシンク３７を冷却するファンモータ３８を設置している構成を説明したが、冷却用のファンモータ３８のための空気の吸気孔３１ａ、排気孔３１ｂがボディ３１には設けられているが、これらの孔は図２に示す通り、ファンモータ３８下面に吸気孔３１ａを設け、排気孔３１ｂは製品底面及び、側面に設けている。また、この吸気孔３１ａと排気孔３１ｂはボディ３１の底面に設けている吸気と排気を区分するための音干渉防止壁であるリブ３１ｃにより分離されている。これは冷却に使用された暖かい空気が、排気孔３１ｂから排出され、その暖かい空気が吸気孔３１ａから再び吸気され、またその空気が排出され、更に吸気する、といった冷却の悪循環を防ぐために、吸気孔３１ａと排気孔３１ｂを分離しているのである。これらのことにより、排気孔３１ｂは吸気孔３１ａからできるだけ遠い位置でありかつ製品のなるべく外周に設置することで、排気された空気が再び吸気孔３１ａから吸気されることを防ぐことができる。
【００３０】
これらの構成で製品の動作を詳しく説明する。スピーカー５０の背面の空間と前面の空間は、キャンセルアウトを防止するために分離している。また、スピーカー５０の背面の空間は、完全密封しないが、その理由はスピーカー５０の背面を完全密封してしまうと、スピーカー５０の振動板５０ａが振動する際に、背面の空気が振動板５０ａの振動の負荷となってしまい、スピーカー５０からの音の放出が低下するのである。このため、一定の切り欠きを設け、空気抜きをしているのである。
【００３１】
また、スピーカー５０は振動板前面側（音声放射方向）を本体内側に向けたため、スピーカー５０専用の音声放射孔はボディ３１には設けていないが、スピーカー５０から放射された音声は前述した冷却用の吸気孔３１ａ、排気孔３１ｂと音放射用孔を兼用することで吸気孔３１ａと排気孔３１ｂから放出されるのである。ここから放出された音声が本体の外に放出されていくわけであるが、音のキャンセルアウトの現象は、放出された音同士でも発生する。例えば、吸気孔３１ａから出た音と、排気孔３１ｂから出た音とが、互いに打ち消し合うこともあれば、左右の排気孔３１ｂからでた音が打ち消し合うこともある。ただし、吸気孔３１ａと排気孔３１ｂとは冷却の空気の悪循環を防止するためのリブが音干渉防止壁３１ｃの役割をしており、吸気孔３１ａ及び排気孔３１ｂからの音のキャンセルアウトを防止しているのである。また、左右の排気孔３１ｂから出る音のキャンセルアウトを防止するためには本体の中央に音干渉防止壁３１ｃをボディ３１底面に設けることでキャンセルアウトを防止することができる。また、排気孔は本体に外周部全体に設けていることにより、スピーカー５０からの音を本体のどの位置から聞いても、均一的に聞くことができ、操作の場所をよらずに音声の聞き取り性が向上するのである。
【００３２】
またファンモータ３８を設置することで、スピーカー５０にも利点が有るのである。それは、炊飯器は調理器具であるために、台所の流し台で使用されることも多く、流し台付近は湿度も高く、吸気孔３１ａ、排気孔３１ｂを設けているため、製品本体内に埃などの異物も浸入してくることがあり、これらの水分や埃がスピーカー５０に付着してしまうが、ファンモータ３８を設けることで、スピーカー５０に付着した埃をファンモータ３８の風により、吹き飛ばすこともでき、湿度により湿ったスピーカー５０を鍋３４の熱とファンモータ３８の風により、乾燥することが可能になるのである。
【００３３】
これらの事により、調理器具独特の課題である、湿度、埃などの異物からスピーカーを保護することが、可能になり安定した音質を確保することができるのである。
【００３４】
また、スピーカー５０を固定するために本実施の形態では、スピーカー５０をスピーカー固定テープ５２で固定し、コイルベース３３とボディ３１で挟み込み、固定しているが、図４に示すように、スピーカー５０はスピーカー押え５３を設けて、スピーカー押え５３の弾性力を利用することで、振動部品であるスピーカー５０の固定をしても十分に行固定することができ、スピーカー５０の振動による、音質低下を行うことができるのである。
【００３５】
また、このスピーカー押え５３は樹脂の弾性力を利用しても、金属の弾性力を利用しても同じ効果を得ることができる。
【００３６】
また、スピーカー台５１にはスピーカー５０設置する為の凹部５１ａ外周に一定の高さのリブを設けることで、スピーカー台５１の平面度の確保が容易になり、スピーカー５０設置の安定性を向上させているのである。
【００３７】
また、スピーカー５０はスピーカー台５１にスピーカー押え５３を利用することで固定し、このスピーカー５０付スピーカー台５１をボディ３１内部に固定する構成で説明したが、スピーカー５０はコイルベース３３にスピーカー設置部を設け、このスピーカー設置部にスピーカーをセットし、スピーカー台５１で固定する構成でも、同様の効果を得ることができる。
【００３８】
（実施の形態２）
図５は、本発明の第２の実施の形態における炊飯器の断面図を示すものである。
【００３９】
基本的な構成は図１と同じである為、詳細な説明は省略する。図５において、スピーカー５０の設置位置はボディ３１下部床面側にスピーカー５０背面を向ける位置に設置している。
【００４０】
スピーカー５０はスピーカー台６１にスピーカー固定テープ５２で固定している構成は実施の形態１と同構成であるが、スピーカー台６１はスピーカー５０設置部の凹部を設けるのではなく、スピーカー５０の背面は筒状の形状をしており、スピーカー５０背面はスピーカー台６１で覆っている形状にはなっていない。ここで筒状のスピーカー台６１の一端はスピーカー５０を設置し、他の一端はシリコンゴム製のスピーカーパッキン５４を設置する。このスピーカー５０付スピーカー台６１はコイルベース３３に固定し、ボディ３１と供にコイルベース３３に供締めされているのであるが、ボディ３１を設置すると、スピーカー台６１に設置されたスピーカーパッキン５４がボディ３１の内面の当接して、ボディ３１の内面とスピーカーパッキン５４とスピーカー台６１で遮蔽部を構成し、スピーカー５０の背面の空間をスピーカー５０前面の空間と隔離するのである。但し、スピーカー５０背面の空間は完全密封するのではなく、ある程度の切欠きをもうけ、スピーカー５０の振動板５０ａの振動を阻害しないようにしている。
【００４１】
この構成による効果は、スピーカー台６１でスピーカー５０背面空間を隔離した場合、スピーカー台６１の部品肉厚ｔ１とスピーカー台とボディ３１内面との空間距離ｔ２が必要となりスピーカー設置高さを一定にすると仮定すると、スピーカー背面面積をＳとした場合、Ｓ×（ｔ１＋ｔ２）分の容積が少なくなってしまう。スピーカー背面の空間容積の大きさは大きければ、大きいほど低音側の音声の確保が可能になるので、スピーカー背面の容積が少なくなる、ということは、低音側が欠けた音しか確保できないのである。
【００４２】
また、低音質を確保するためには、スピーカー５０設置高さを一定にしたと仮定すると、スピーカー台６１でスピーカー背面空間を隔離した場合ではスピーカー台５１の部品肉厚ｔ１とスピーカー台とボディ３１内面との空間距離ｔ２とするとｔ１＋ｔ２分製品高さを高くする必要があるが、ボディ内面を利用することで、ｔ１＋ｔ２分は製品高さも押えることが可能になるのである。
【００４３】
また、スピーカー５０の振動板前面を床面側に向けずに内側に向けたことによりさらにもう一点の効果を奏する。スピーカーを床面に向けて設置した場合、直接ボディ底面に設置すれば、スピーカー前面と背面が隔離できるように思えるが、炊飯器は冷却用の孔が必要不可欠であり、どうしても、スピーカー前面と背面との空間を隔離することができない。また、直接スピーカー５０をボディ３１に設置するのではなく、前述のようにスピーカー５０をスピーカー台６１に設置し、スピーカー台で空間を隔離すれば隔離は可能であるが、製品内面にはボディ内面のような平面は存在しないため、スピーカー台６１単品で隔離しなければならない、こうなると、製品高さを高くし、空間を隔離しないと、低音質の音が確保できないのである。このように、スピーカー５０を床面方向ではなく、内面側に向けることにより、製品高さを押えつつ、低音の音質が確保された、音声を得ることができ、さらには実施の形態１で述べたように、調理器特有の埃や水から、スピーカー５０を保護することが、可能になるのである。
【産業上の利用可能性】
【００４４】
以上のように、本発明にかかる、炊飯器は、スピーカーを設置し、音声ガイドを実施するものであり調理器具全般の用途に適用できる。
【図面の簡単な説明】
【００４５】
【図１】本発明の第１の実施の形態の炊飯器の断面図
【図２】本発明の第１の実施の形態の炊飯器の裏面図
【図３】本発明の第１の実施の形態の炊飯器の要部断面図
【図４】本発明の第１の実施の形態の炊飯器の要部断面図
【図５】本発明の第２の実施の形態の炊飯器の断面図
【図６】本発明の第２の実施の形態の炊飯器の要部断面図
【図７】従来の炊飯器の断面図
【符号の説明】
【００４６】
３１  ボディ（本体）
３１ａ  吸気孔（孔）（音放射用孔、冷却用孔）
３１ｂ  排気孔（孔）（音放射用孔、冷却用孔）
３１ｃ  音干渉防止壁
３４  鍋
３５  鍋加熱手段
３８  ファンモータ
５０  スピーカー
５１  スピーカー台（遮蔽部）
【図１】
2006218152.tif 000003
【図２】
2006218152.tif 000004
【図３】
2006218152.tif 000005
【図４】
2006218152.tif 000006
【図５】
2006218152.tif 000007
【図６】
2006218152.tif 000008
【図７】
2006218152.tif 000009